(57)【要約】【課題】フラット電線とヒーターとを一体化してユニット化を図り、それによって製品管理を簡単にし、搬送性を向上させ、連接を含めた敷設施工作業性を更に向上させた床暖房用ヒーター装置を提供する。【解決手段】平面状の発熱体である面状発熱体を利用したヒーター１と導電性材料で形成した比較的薄い板状の二つのフラット電線２，３とからなり、該二つのフラット電線２，３を前記ヒーター１の端部近傍且つ上面に平行に配設して、電気的に通電可能に接続する。【選択図】図１
2008070100.tif 000002
【特許請求の範囲】
【請求項１】
平面状の発熱体である面状発熱体を利用したヒーターと導電性材料で形成した比較的薄い板状の二つのフラット電線とからなり、該二つのフラット電線を前記ヒーターの端部近傍且つ上面に平行に配設して、電気的に通電可能に接続したことを特徴とする床暖房用ヒーター装置。
【請求項２】
平面状の発熱体である面状発熱体を利用したヒーターと導電性材料で形成した比較的薄い板状の二つのフラット電線とからなり、該二つのフラット電線を前記ヒーターの端部近傍且つ上面に配設し、電気的に通電可能に接続して、ユニット化したヒーター装置に於いて、隣り合うヒーター装置に於けるそれぞれの二つのフラット電線を導電性材料で形成した接続部材でもって接続することで、複数ユニットの連設を可能としたことを特徴とする床暖房用ヒーター装置。
【発明の詳細な説明】
【技術分野】
【０００１】  床暖房装置に使用される平面状を呈したヒーターであって、特に前記ヒーターと電気的に接続される電線とを含む床暖房用ヒーター装置に関するものである。
【背景技術】
【０００２】  床暖房装置には、色々な種類（方法）があるが、価格面と暖房効率等のバランスから平面状の発熱体を利用した装置を床の下側に敷設する方法が広く採用されている。この方法は、前述したように、部屋の所定面積に相当する床下側に、平面状の発熱体を利用したヒーター装置を敷設して、電気的に接続するものであって、比較的簡単に施工することが可能である。そしてヒーター装置に於ける電気的な接続は、ケーブル状の電線を使用して、該電線と前記ヒーター装置の電極を接続し、ケーブル状の電線の端部に配設したソケットをコンセントに差し込むことで行われる。【０００３】  然し、ケーブル状の電線を使用する接続方法では、ヒーター装置の電極との接続にコネクタが必要となる。通常コネクタは、大雑把に見ると略直方体のような形状で、所定の高さを持っていることから、ヒーター装置敷設に於いては、この高さを吸収しなければならない。何故なら、そのまま敷設した場合は、床面がコネクタの高さの分浮き上がってしまい、敷設状態が不安定になるばかりでなく、床としての水平面が確保出来なくなる。従って、ヒーター装置を設置する下地材に溝を設け、この溝にコネクタの部分を配設するようにしなければならない。しかもコネクタの高さが比較的大きいため、下地材の溝深さもコネクタの高さに応じた深さとする必要があり、この溝を部分的に形成するか、コネクタ使用部分を含んだ広い範囲形成するか、いずれにしても、溝形成は簡単でなく、下地材の強度的な問題も発生する。下地材の厚さを大きくすれば強度的な問題は解消するにしてもコストアップの要因になってしまう。そして、コネクタによる接続は、ヒーター装置のプラス側電極とマイナス側電極をそれぞれコネクタに接続し、更にケーブルをコネクタに接続することになるが、ほとんど手作業で行うことになり、ヒーター装置敷設に於ける施行作業は、比較的簡単とは云いながら、やはり面倒で煩わしいものとなっている。【０００４】  本出願人は、こうした問題点を解消するものとして、ケーブルの代りにフラット電線を使用する方法を開発し、すでに特許出願（整理番号：ＣＫＨ１８−０１））している。該特許出願の主要構成は、第１にケーブルに代えてフラット電線を使用すること。そして第２に、平面状のヒーターに於ける電極と前記フラット電線との接続をコネクタを使用せずに、導電性材料で作られた板状の接続部材でもって行なうことである。
【発明の開示】
【発明が解決しようとする課題】
【０００５】  このような構成とすることにより、ヒーター装置全体を薄くすることが出来るので、フラット電線部分の下地材の溝の成形が簡単になり、更に板状の接続部材を使用することにより、フラット電線とヒーター側の電極との接続を所定の工具で極めて簡単に行なえるようになる。これによって、施行作業の簡素化が図れ、面倒さや煩わしさが解消されるのと併せ作業コストの低減が図れることになるのであるが、フラット電線とヒーターは、別々であって、施工時に於いて、接続部材により一体的に接続され、電気的にも接続されるようになっている。従って、フラット電線とヒーターは別部品として用意しなければならず、管理面ばかりでなく、搬送に於いても面倒なものとなる。更に、ヒーター装置を連設する場合（ヒーター装置は敷設面積に応じて複数使用されることになるので、連設させることが必要となる。）フラット電線の長さは、連設するヒーター装置の個数によって変えなくてはならず、管理する上で面倒であるばかりでなく、場合によっては、施行時に長いフラット電線を取り扱うことになり、作業性にも難点がある【０００６】  本発明は、こうした従来技術に鑑み、フラット電線とヒーターとを一体化してユニット化を図り、それによって製品管理を簡単にし、搬送性を向上させ、連接を含めた敷設施工作業性を更に向上させた床暖房用ヒーター装置を提供することを目的としている。
【課題を解決するための手段】
【０００７】  上記目的を達成するために、請求項１記載の発明は、平面状の発熱体である面状発熱体を利用したヒーターと導電性材料で形成した比較的薄い板状の二つのフラット電線とからなり、該二つのフラット電線を前記ヒーターの端部近傍且つ上面に平行に配設して、電気的に通電可能に接続したものである。このように構成したことにより、フラット電線は、ヒーターの端部近傍且つ上面に取り付け固定されることになり、これによって、ヒーターとのユニット化が図れ、ヒーターとフラット電線の管理を別々に行なう必要がなくなり、持ち運びが容易になり、搬送性を向上させることが出来る。【０００８】  請求項２記載の発明は、平面状の発熱体である面状発熱体を利用したヒーターと導電性材料で形成した比較的薄い板状の二つのフラット電線とからなり、該二つのフラット電線を前記ヒーターの端部近傍且つ上面に配設し、電気的に通電可能に接続して、ユニット化したヒーター装置に於いて、隣り合うヒーター装置に於けるそれぞれの二つのフラット電線を導電性材料で形成した接続部材でもって接続することで、複数ユニットの連設を可能としたものである。このように構成したことにより、敷設施工に於いて、ヒーターとフラット電線を別々に取り扱う必要が無くなり、又ユニットとしてのヒーター装置を必要な部署へ、必要個数配設して、互いのフラット電線を接続部材でもって、単純に連接可能となり、施工時の作業性を大幅に向上させることが出来、結果として作業コストの低減を図ることが出来る。
【発明の効果】
【０００９】  本発明は、以上説明したように構成されているので、下記に説明するような効果を奏する。【００１０】  本発明による床暖房用ヒーター装置は、平面状の発熱体である面状発熱体を利用したヒーターと導電性材料で形成した比較的薄い板状の二つのフラット電線とからなり、該二つのフラット電線を前記ヒーターの端部近傍且つ上面に平行に配設して、電気的に通電可能に接続したので、ヒーターとフラット電線とのユニット化が図れ、ヒーターとフラット電線の管理を別々に行なう必要がなくなり、持ち運びが容易になり、搬送性を向上させることが出来る。【００１１】  更に、本発明による床暖房用ヒーター装置は、平面状の発熱体である面状発熱体を利用したヒーターと導電性材料で形成した比較的薄い板状の二つのフラット電線とからなり、該二つのフラット電線を前記ヒーターの端部近傍且つ上面に配設し、電気的に通電可能に接続して、ユニット化したヒーター装置に於いて、隣り合うヒーター装置に於けるそれぞれの二つのフラット電線を導電性材料で形成した接続部材でもって接続することで、複数ユニットの連設を可能としたので、敷設施工に於いて、ヒーターとフラット電線を別々に取り扱う必要が無くなり、又ユニットとしてのヒーター装置を必要な部署へ、必要個数配設して、互いのフラット電線を接続部材でもって、単純に連接可能となり、施工時の作業性を大幅に向上させることが出来、結果として作業コストの低減を図ることが出来る。
【発明を実施するための最良の形態】
【００１２】  以下、本発明の実施の形態を図１〜図１７に基づき詳細に説明する。図１は本発明による床暖房用ヒーター装置に於ける一実施形態を示す平面図、図２は図１のＸ部拡大図であり、図３は本発明による床暖房用ヒーター装置に使用するフラット電線の一実施形態を示す平面図、図４は図３のＢ−Ｂ断面図で、図５は図１のＡ−Ａ断面図である。図６は本発明による床暖房用ヒーター装置の連設状態を説明する平面図、図７は本発明による床暖房用ヒーター装置に使用する接続部材の一実施形態を示す平面図であって、図８は図７のＰ矢視図、図９は同じく図７のＱ矢視図である。そして図１０は図９のＣ−Ｃ断面図、図１１は図９のＤ−Ｄ断面図である。図１２は図６のＹ部拡大説明図であり、図１３は図１２のＥ−Ｅ断面図、図１４は図１３のＺ部拡大図である。更に図１５は本発明による床暖房用ヒーター装置の電気の流れを説明する簡略図であって、図１６は本発明による床暖房用ヒーター装置に使用するフラット電線の他の実施形態を示す平面図、図１７は図１６に示すフラット電線を使用する場合に於ける床暖房用ヒーター装置の連設状態を示す平面図である。【００１３】  本発明による床暖房用ヒーター装置は、図１に示すように、平面状の発熱体である面状発熱体を利用したヒーター１と導電性材料で形成した比較的薄い板状の二つのフラット電線２，３とからなり、該フラット電線２，３を前記ヒーター１の端部近傍且つ上面に配設してユニット化し、電気的に通電可能に接続したことを基本としている。【００１４】  それでは、図１〜図５を使用して、更に詳しく説明することとする。ヒーター１は、平面視長方形を呈し、図１及び図５に示すように、ポリエチレン製のベース１２の表面に銀部分７，１０とＰＴＣ部分８，９そしてホットメルト部分６，１１が印刷等により被着されていて、その上面をポリエチレン製のカバー１３でもって覆ったたものとなっている。そして銀部分、ＰＴＣ部分、ホットメルト部分の配列は図１で理解出来るように、上下方向両端側にホットメルト部分１１，１１次いでセンターラインＣＬに向かって銀部分１０，１０が配列され、該銀部分１０，１０からＰＴＣ部分９，９が続き、一定間隔を置いて、再びＰＴＣ部分８，８が形成され、更にＰＴＣ部分８，８からは銀部分７，７が配列されている。そして銀部分７，７の間即ち中央部（センターラインＣＬ部分）はホットメルト部分６となっている。銀部分は、ヒーター１に於ける電極として機能し、ＰＴＣ部分は導電性材料で形成され、発熱体として機能する。ホットメルト部分は接着剤として機能し、ベース１２表面に被着された銀部分やＰＴＣ部分を保護或いは絶縁するために使用する、ポリエチレン等で作られたカバー１３を前記ベース１２に一体的に接着するよう働いている。１４は電極（銀部分）で、銀部分１０と接続しており、同じく電極１５は銀部分７、電極１６は銀部分１０と接続している。即ち銀部分７，１０の間に、該銀部分７，１０の長手方向に対して垂直方向に配設された複数の電極は、銀部分７と銀部分１０に交互に接続するようになっている。尚、本実施形態に於いて説明するヒーター１は、あくまで一実施形態であって、本発明による床暖房用ヒーター装置に適用されるヒーターは、これに限定されるものでないのは云うまでもないことである。又、図１及び図２に於いて、カバー１３を部分的に取り除いた状態で表しているが、これは内部の構造を判り易くするためであり、通常ではカバー１３が覆われた状態となっているので、付言して置くこととする。【００１５】  引き続き、図３及び図４を参照しながら、フラット電線２，３について説明する。尚、フラット電線２と３は、基本的に同一のものを使用するので、フラット電線２を取り上げて説明する。長い平板状を呈したフラット電線２は、比較的薄い導電性材料で形成されたフラット電線本体３０の周囲をポリエチレン等の絶縁材料を使用したカバー３１でもって覆ったものとなっていて、一方端部近傍には、複数個の孔１７が形成され、他方端部近傍にも前記孔１７と同様な複数個の孔１８が形成されており、該孔１８と前記孔１７の形成部分から、それぞれ中央部分に渡って孔１９，２０，２１，２２を形成したものとなっている。孔１７及び孔１８は、ヒーター１を複数連設して使用する時に行なわれるフラット電線の接続時に使用するもので、孔１９，２０，２１，２２は、ヒーター１とフラット電線２，３との一体化と併せ、ヒーター１の銀部分７及び１０とフラット電線２，３との電気的接続時に必要となるものであり、詳細に付いては後述するものとする。尚、本実施形態に於いては、２つのフラット電線を独立させているが、２つのフラット電線本体を平行状に配置し、その状態でカバーを覆い、一体的に形成しても良いので、念のため付言して置くことにする。【００１６】  図２は、ヒーター１とフラット電線２，３の接続状態を示しており、図１をも参照しながら、その接続方法を説明する。平面視長方形のヒーター１の端部（図１に於いては左側端部）近傍且つ上面であって、上下方向に平行状に配設された２つのフラット電線２，３は、その長さをヒーター１の巾方向の長さと同じ若しくは若干短く設定されている。このように配設されたフラット電線２，３は、導電性の材料で形成されたピン部材５によってヒーター１と一体的に取り付け固定されて、１つのユニット化されたヒーター装置として構成されることになる。この時ピン部材５による取り付けは、図２に示すように、フラット電線２に於いては、孔２１を介して行なわれ、フラット電線３に於いては孔２２を介して行なわれ、共にヒーター１の銀部分７と同じく銀部分１０の所で行なわれている。しかも、その取り付けは、ピン部材をカシメることで行なわれるので、フラット電線２と銀部分７そしてフラット電線３と銀部分１０は、導電性材料のピン部材５を介して電気的に接続された状態となっている。尚、フラット電線とヒーター１との取り付け固定は、ピン部材５によるものと限定されるものではなく、他の方法であっても良い。【００１７】  図１５は、通電時の電気の流れを説明する簡略図であるが、ヒーター１とフラット電線との全体的な取り付け状態をも示しているので、本図を用いて、更に説明を加えることにする。フラット電線２は、ヒーター１に於ける上側の銀部分１０と下側の銀部分７にピン部材５，５によって取り付け固定され、フラット電線３は下側の銀部分１０と上側の銀部分７との部分で取り付け固定されている。これによって、ヒーター１とフラット電線２，３が電気的に接続されることになる。【００１８】  それでは次に、図１５を基に、図１と図２を参照しながら、本発明によるヒーター装置の電気の流れと共に発熱システムを簡単に説明する。例えばフラット電線２をプラス側とし、フラット電線３をマイナス側とする。図示しないコード等を介して通電すると、フラット電線２に電気が流れ、この電流は、ピン部材５，５を通って上側の銀部分１０と下側の銀部分７に流れ、それぞれの銀部分に接続している電極に通電される。そして電極に流れ込んだ電流は、発熱体であるＰＴＣ部分８、８同じくＰＴＣ部分９、９を発熱、昇温させる。そして後、ＰＴＣ部分を発熱、昇温させた電流は、上側の銀部分１０と下側の銀部分７とは接続していない電極即ち下側の銀部分１０と上側の銀部分７と接続している電極を介してマイナス側のフラット電線３に流れるようになっている。このように、本発明による床暖房用ヒーター装置に於けるヒーター１は、フラット電線２，３と銀部分１０，７の系統とフラット電線２，３と銀部分７，１０の系統の２つの系統で発熱、昇温させるシステムとなっている。【００１９】  ここで、フラット電線２，３について、念のため説明をして置くこととする。前述したように、フラット電線２，３は４つの孔１９，２０，２１，２２を持っている。該孔は、既に述べた通り、フラット電線のヒーター１への取り付け固定（換言すればフラット電線とヒーター１の銀部分との電気的接続）に使用するものであって、本実施形態に於いては、フラット電線２では孔１９と２１、フラット電線３に於いては孔２０と２２が使用されている。このように、フラット電線に於ける４つの孔は、取り付け時に全て使用するのではなく、実際に使用するのは２つであり、残りの２つは、事実上捨て孔となっているが、これは、フラット電線２と３を共通部品として使用するためである。故に、４つの孔を必ず形成しなければならないということではなく、フラット電線２，３を別部品としても差し支えない。又重ねて付言するが、フラット電線のヒーター１への取り付けに当たっては、ヒーター１のカバー１３を取り剥がす必要はなく、そのまま行うことが可能であり、場合によっては取り剥がして行うことも可能である。【００２０】  面状発熱体を利用した床暖房用ヒーター装置は、通常複数個連設して使用される。しかも敷設される面積によって使用される個数即ちユニットの数が異なり、敷設面積が広ければ広いほど連設作業に手間がかかるものである。本発明による床暖房用ヒーター装置は、連設作業へも考慮しており、図６は、その連設状態を示しており、４は連設を行なうための接続部材である。【００２１】  接続部材４は、図７〜図１１に示す構造を持っており、以下詳細に説明する。垂直部２３と水平部２４から成る接続部材４は、銅や真鍮等導電性材料で作られた板状部材であって、垂直部２３は凹欠部２９によって２分（２３，２３）されている。水平部２４には、図７で理解出来るように、上下方向中央部分に対して対称状に切り起こし部２７とバーリング部２８が、それぞれ複数個形成されている。上下に対称状に形成された切り起こし部２７とバーリング部２８の配列は同じであり、十���状にバーリング部２８が５個、該バーリング部２８形成部分の４隅に、それぞれ１個の切り起こし部２７が形成されている。【００２２】  次に、垂直部２３，２３に設けられている切り起こし部２５とバーリング部２６について説明する。垂直部２３，２３に形成された切り起こし部２５とバーリング部２６の配列は同じであり、水平部２４の切り起こし部２７とバーリング部２８とも同一である。そして垂直部２３を水平部２４に重ね合わせた時に切り起こし部２５と２７が、又バーリング部２６と２８が合致するようになっている。但し、注意を要するのは、切り起こし部の位置である。図９は、図７に於けるＱ矢視図であり、両図により、その相違点と理由を説明する。図７に於いて、水平部２４の上下方向中央部分に対して対称状に形成されたそれぞれの切り起こし部２７とバーリング部２８の内、切り起こしの位置が異なっていることが判る。即ち４隅の切り起こし部の内、上方の２つが上側で、下方の２つが下側で形成されている。これは、上下方向中央部分に対して下方向のものに於いても同様である。それに対して、垂直部分２３では、図９の通り、上方の２つが下側、下方の２つが上側と、水平部２４と逆の位置関係となっている。その理由は、接続部材４が次のような目的（機能）を持たされているからである。接続部材４は、ヒーター装置を電気的に連設換言すれば複数ユニットのヒーター装置に於ける互いのフラット電線部分を電気的に接続するためのものであり、ショート等の問題を起こさぬためにも、その接続をより確実にし、接続後のガタや緩みを極力防止するようにしなければならないのである。そこで、詳細は後述するとして、一般的な使用方法を簡単に説明する。図７に於ける水平部２４上に被接続部材である２つの板状部材を載せて、その状態のまま垂直部材２３をコーナー部分を中心に折り曲げ、水平部２４に重ね合わせる。この時、切り起こし部２５及び２７の鋭角部分が被接続部材を突き破り、それぞれ相手の孔状部分に入り込む。仮に切り起こし部の位置が同じ側であったなら、切り起こし部同士が干渉して、重ね合わせが上手くいかず、結果として接続は出来なくなる。そして重ね合わせた時のバーリング部は、互いの頭部同士が当接可能になっていて。バーリング部高さより高く（長く）形成されている切り起こし部先端が必要以上に相手側孔状部分に入り込まないように規制する機能を持っているのである。接続部材４が、こうした機能を持つことから、被接続部材に対応させて、板厚をはじめ切り起こし高さやバーリング高さが調整されているのは云うまでもないことである。尚、切り起こし部とバーリング部の形状は、すべて同じであり、図１０と図１１に示す通りである。【００２３】  次に、図６と図１２そして図１３と図１４を参照しながら、ヒーター装置の連設方法を説明する。ヒーター装置は、ヒーター１に於ける端部近傍且つ上面に平行状に配設されたフラット電線２，３が、ピン部材５によって、前記ヒーター１に電気的に接続された状態で取り付け固定された１つのユニットとして構成されているので、連設は敷設予定部署へヒーター装置を複数ユニット配設した後、フラット電線を電気的に接続することで完了する。【００２４】  図１２には、２つ���ヒーター装置が図示されており、それぞれのフラット電線２，２とフラット電線３，３が接続部材４，４でもって接続されているのが示されている。当然のことながら、上方のヒーター装置のフラット電線２，３では下端部が、下方のヒーター装置のフラット電線２，３では上端部が接続部分となっている。前述したように、フラット電線２，３は、共通部品であり、共に図３のような構造であって、フラット電線の一方端部近傍に複数の孔１７が設けられ、他方端部近傍にも複数の孔１８が設けられており、これらの孔に接続部材４の切り起こし部２５，２７やバーリング部２６，２８が嵌入するようになっている。接続作業に当たっては、まず接続部材４の水平部２４を接続すべきフラット電線のそれぞれの端部下側（裏面）に位置させ、前記複数の孔１７そして同じく孔１８に切り起こし部２７とバーリング部２８を嵌入させる。そして後、垂直部２３を折り畳むように曲折して、重ね合わせ、圧着して完了する。この作業は、所定の工具を使用するので、非常に簡単に行なわれるのは云うまでもなく、更に接続部材４が導電性材料で形成されているため、接続作業が完了することで、フラット電線同士の電気的接続も行なわれ、ヒーター装置の連設が完了することになる。尚、本実施形態に於いては、フラット電線に孔１７或いは孔１８を形成し、該孔１７，１８を利用して接続をするようにしたが、使用するフラット電線特にフラット電線本体の厚さによっては、孔１７，１８を形成せずに、切り起こし部先端の鋭角部分でもって、フラット電線を突き破るようにして接続することも可能であるので、念のため付言して置くこととする。又、ヒーター装置の連設を接続部材４により行なうと説明したが、他の構造の接続部材を用いても良いので付言して置く。【００２５】  図１６は、本発明による床暖房用ヒーター装置に使用するフラット電線の他の実施形態を示すもので、本図を用いて、その構造を説明する。本実施形態に於ける特徴は、接続部材４００とフラット電線２００がスポット溶接２０６によって一体的にされている点である。フラット電線２００は、基本的には同じであるが、複数の孔２０１が一方端部近傍（図に於いては下側）にだけ形成されている点で前述したフラット電線２，３と相違している。従って、孔２０２，２０３，２０４，２０５の機能は、フラット電線２，３に於ける孔１９，２０，２１，２２と全く同じであり、前記孔２０１の機能も又孔１８と同じである。そして図示しないヒーター１との接続は、導電性材料で形成されたピン部材５を介して、フラット電線２，３の場合と同様に行なわれ、更にフラット電線２，３が共通部品であるように、本実施形態に於いても、フラット電線２とフラット電線３に対応するものとして、フラット電線２００とフラット電線２００即ち共通部品を使用するようになっている。【００２６】  接続部材４００を複数の孔２０１形成側とは反対側にスポット溶接２０６によって一体的に組み込まれた２つのフラット電線２００を、図示しない平面視長方形のヒーター１の端部近傍且つ上面であって、上下方向に平行状に配設し、ピン部材５でもって取り付け固定すると共に、電気的にも接続することでフラット電線とヒーターを一体的とし、ヒーター装置としてのユニット化が図られている。【００２７】  このように、ユニット化されたヒーター装置の連設方法について説明する。図１７は、その連設状態を示したものである。ヒーター１の図を省略したのは、ヒーター装置の連設が事実上フラット電線の連設即ち電気的接続によって行なわれるので、説明を判りやすくするためである。連設作業は、フラット電線２００と一体的に取り付けられた接続部材４００の水平部へフラット電線３００の端部を位置させ、水平部の切り起こし部とバーリング部を複数の孔２０１に嵌入させることで行なわれる。そして後、垂直部を折り畳むように曲折して、重ね合わせ、圧着して完了する。導電性材料で形成されている接続部材４００により、フラット電線２００と３００は、機械的に連設されると同時に、電気的にも接続されることになって、ヒーター装置として連接されることになる。尚、フラット電線２００とフラット電線３００は共通部品であって、接続部材４００をスポット溶接した状態であっても、共通使用出来るように考慮されている。故に、ユニットとしてのヒーター装置は、前記実施形態と同様に、敷設面積が変っても、単一のヒーター装置を必要ユニット使用することで対応出来ることになる。
【図面の簡単な説明】
【００２８】
【図１】本発明による床暖房用ヒーター装置に於ける一実施形態を示す平面図である。
【図２】図１のＸ部拡大図である。
【図３】本発明による床暖房用ヒーター装置に使用するフラット電線の一実施形態を示す平面図である。
【図４】図３のＢ−Ｂ断面図である。
【図５】図１のＡ−Ａ断面図である。
【図６】本発明による床暖房用ヒーター装置の連設状態を説明する平面図である。
【図７】本発明による床暖房用ヒーター装置に使用する接続部材の一実施形態を示す平面図である。
【図８】図７のＰ矢視図である。
【図９】図７のＱ矢視図である。
【図１０】図９のＣ−Ｃ断面図である。
【図１１】図９のＤ−Ｄ断面図である。
【図１２】図６のＹ部拡大説明図である。
【図１３】図１２のＥ−Ｅ断面図である。
【図１４】図１３のＺ部拡大図である。
【図１５】本発明による床暖房用ヒーター装置の電気の流れを説明する簡略図である。
【図１６】本発明による床暖房用ヒーター装置に使用するフラット電線の他の実施形態を示す平面図である。
【図１７】図１６に示すフラット電線を使用する場合に於ける床暖房用ヒーター装置の連設状態を示す平面図である。
【符号の説明】
【００２９】１  ヒーター                    ２９  凹欠部
２，３  フラット電線            ３０  フラット電線本体
４  接続部材                    ３１  カバー
５  ピン部材                    ２００，３００  フラット電線
６，１１  ホットメルト部分      ２０１  孔
７，１０  銀部分                ２０２，２０３，２０４，２０５  孔
８，９  ＰＴＣ部分              ２０６  スポット溶接部
１２  ベース                    ４００  接続部材
１３  カバー                    ４０１，４０３  切り起こし部
１４，１５，１６  電極          ４０２，４０４  バーリング部
１７，１８  孔                  ＣＬ  センターライン
１９，２０，２１，２２
２３  垂直部
２４  水平部
２５，２７  切り起こし部
２６，２８  バーリング部
【図１】
2008070100.tif 000003
【図２】
2008070100.tif 000004
【図３】
2008070100.tif 000005
【図４】
2008070100.tif 000006
【図５】
2008070100.tif 000007
【図６】
2008070100.tif 000008
【図７】
2008070100.tif 000009
【図８】
2008070100.tif 000010
【図９】
2008070100.tif 000011
【図１０】
2008070100.tif 000012
【図１１】
2008070100.tif 000013
【図１２】
2008070100.tif 000014
【図１３】
2008070100.tif 000015
【図１４】
2008070100.tif 000016
【図１５】
2008070100.tif 000017
【図１６】
2008070100.tif 000018
【図１７】
2008070100.tif 000019